(57)【要約】【課題】グループ化されたコンテンツを容易に管理することができるコンテンツ管理装置を提供する。【解決手段】コンテンツがいずれのグループに属するかを示す目次情報を格納している目次情報格納部１３と、所定のコンテンツに対して行われた操作内容を示す操作情報を格納している操作情報格納部１４と、入力を受け付ける入力受付部１８と、入力がコンテンツに対する特定の操作を指示するものである場合に、その入力に対応する操作情報を、そのコンテンツを識別するコンテンツ識別子に対応付けて操作情報格納部１３に格納し、入力が所定のグループに対応する目次情報の出力を指示するものである場合に、そのグループに対応する目次情報に、そのグループに対応する操作情報を付加して出力する情報管理部１２を備える。【選択図】  図１
2004274446.tif 000002
【特許請求の範囲】
【請求項１】
コンテンツがグループ化されており、コンテンツに対する操作の指示を受け付け、所定のグループに属する各コンテンツに対して特定の操作が行われたか、あるいは行われていないかを示す情報を出力するコンテンツ管理装置。
【請求項２】
コンテンツを識別するためのコンテンツ識別子が付与されたコンテンツがグループ化されており、各コンテンツがいずれのグループに属するかを示す情報である目次情報を格納している目次情報格納部と、
所定のコンテンツに対する操作内容を示す情報である操作情報を、当該コンテンツを識別するコンテンツ識別子に対応付けて格納している操作情報格納部と、
入力を受け付ける入力受付部と、
前記入力がコンテンツに対する特定の操作を指示する入力である場合に、該入力に対応する操作情報を、当該コンテンツを識別するコンテンツ識別子に対応付けて前記操作情報格納部に格納し、前記入力が所定のグループに対応する目次情報の出力を指示する入力である場合に、当該グループに含まれる各コンテンツに対応する操作情報が付加された、当該グループに対応する目次情報を出力する情報管理部と、
を備えたコンテンツ管理装置。
【請求項３】
送信された目次情報を受信する目次情報受信部をさらに備え、前記情報管理部は、前記目次情報受信部により受信された目次情報を前記目次情報格納部に格納する、請求項２記載のコンテンツ管理装置。
【請求項４】
前記目次情報受信部は、前記コンテンツ管理装置からの要求に応じて送信された目次情報を受信する、請求項３記載のコンテンツ管理装置。
【請求項５】
目次情報の記録されている記録媒体から前記目次情報を読み出す目次情報読み出し部をさらに備え、
前記情報管理部は、前記目次情報読み出し部により読み出された目次情報を前記目次情報格納部に格納する、請求項２記載のコンテンツ管理装置。
【請求項６】
コンテンツを受信するコンテンツ受信部と、
前記コンテンツ受信部により受信されたコンテンツを出力する出力部とをさらに備え、
前記入力が所定のコンテンツの出力を指示する入力である場合に、前記出力部は、当該コンテンツ受信部により受信されたコンテンツを出力する、請求項２から請求項５いずれか記載のコンテンツ管理装置。
【請求項７】
コンテンツを受信するコンテンツ受信部と、
前記コンテンツ受信部により受信されたコンテンツを記録する記録部をさらに備え、
前記入力が所定のコンテンツの記録を指示する入力である場合に、前記記録部は、当該コンテンツ受信部により受信されたコンテンツを記録する、請求項２から請求項５いずれか記載のコンテンツ管理装置。
【請求項８】
記録媒体に記録されているコンテンツを再生するコンテンツ再生部と、
前記コンテンツ再生部により再生されたコンテンツを出力する出力部とをさらに備え、
前記入力が所定のコンテンツの出力を指示する入力である場合に、前記コンテンツ再生部は、当該コンテンツを再生し、前記出力部は、当該コンテンツ再生部により再生されたコンテンツを出力する、請求項２から請求項５いずれか記載のコンテンツ管理装置。
【請求項９】
記録媒体に記録されているコンテンツを読み出すコンテンツ読み出し部と、
前記コンテンツ読み出し部により読み出されたコンテンツを記録する記録部とをさらに備え、
前記入力が所定のコンテンツの記録を指示する入力である場合に、前記コンテンツ読み出し部は、当該コンテンツを読み出し、前記記録部は、当該コンテンツ読み出し部により読み出されたコンテンツを記録する、請求項２から請求項５いずれか記載のコンテンツ管理装置。
【請求項１０】
前記特定の操作は、コンテンツを記録する操作である請求項１から５いずれか記載のコンテンツ管理装置。
【請求項１１】
前記特定の操作は、コンテンツを出力する操作である請求項１から請求項５いずれか記載のコンテンツ管理装置。
【請求項１２】
複数のコンテンツを格納しているコンテンツ格納装置から所定のコンテンツを取得するコンテンツ取得部をさらに備え、
前記入力受付部が、前記情報管理部の出力した目次情報のグループに含まれるコンテンツに関し、当該コンテンツを取得する旨の入力を受け付けた場合に、前記コンテンツ取得部は、当該入力により示されたコンテンツを前記コンテンツ格納装置から取得する、請求項２から請求項１１いずれか記載のコンテンツ管理装置。
【請求項１３】
前記コンテンツの取得に関する情報であるコンテンツ取得情報を蓄積している取得情報蓄積部をさらに備え、
前記情報管理部は、前記コンテンツ取得部によりコンテンツが取得された際に、コンテンツ取得情報を前記取得情報蓄積部に蓄積する、請求項１２記載のコンテンツ管理装置。
【請求項１４】
コンテンツを格納しているコンテンツ格納装置であって、
請求項１２記載のコンテンツ管理装置からの指示により、コンテンツを当該コンテンツ管理装置に送信し、コンテンツの送信に関する情報であるコンテンツ送信情報を蓄積するコンテンツ格納装置。
【請求項１５】
前記目次情報の受信に関する情報である受信情報を蓄積している受信情報蓄積部をさらに備え、
前記情報管理部は、前記目次情報受信部により目次情報が受信された際に、受信情報を前記受信情報蓄積部に蓄積する、請求項３または請求項４記載のコンテンツ管理装置。
【請求項１６】
目次情報を格納している目次情報格納装置であって、
請求項４記載のコンテンツ管理装置からの指示により、目次情報を当該コンテンツ管理装置に送信し、目次情報の送信に関する情報である送信情報を蓄積する目次情報格納装置。
【請求項１７】
コンテンツを識別するためのコンテンツ識別子が付与されたコンテンツがグループ化されており、
コンテンツに対する特定の操作を指示する入力が受け付けられた場合に、該入力に対する操作内容を示す情報である操作情報を、当該コンテンツを識別するコンテンツ識別子に対応付けて格納するステップと、
所定のグループに属する各コンテンツに対して、特定の操作が行われたか、あるいは行われなかったかを示す情報を出力するステップと、
をコンピュータに実行させるためのプログラム。
【請求項１８】
コンテンツがグループ化されており、所定のコンテンツに対する操作内容を示す情報を受信し、当該所定のコンテンツを含むグループに属する各コンテンツに対して、特定の操作が行われたか、あるいは行われなかったかを示す情報を送信するコンテンツ管理サーバ。
【請求項１９】
コンテンツを識別するためのコンテンツ識別子が付与されたコンテンツがグループ化されており、
各コンテンツがいずれのグループに属するかを示す情報である目次情報を格納している目次情報格納部と、
所定のコンテンツに対する操作内容を示す情報である操作情報を、当該コンテンツを識別するためのコンテンツ識別子と共に受信する受信部と、
目次情報を前記目次情報格納部から読み出し、該目次情報と前記操作情報とに基づいて、前記受信部により受信されたコンテンツ識別子に対応するコンテンツを含むグループに属する各コンテンツに対して、特定の操作が行われたか、あるいは行われなかったかを示す情報を生成する情報処理部と、
前記情報処理部により生成された情報を送信する送信部と、
を備えたコンテンツ管理サーバ。
【請求項２０】
コンテンツがグループ化されており、
所定のコンテンツに対する操作内容を示す情報である操作情報を受信するステップと、
当該所定のコンテンツを含むグループに属する各コンテンツに対して、特定の操作が行われたか、あるいは行われていないかを示す情報を生成するステップと、
前記生成された情報を送信するステップと、
を備えたコンテンツ管理方法。
【請求項２１】
コンテンツがグループ化されており、
受信された、所定のコンテンツに対する操作内容を示す情報である操作情報を受け取るステップと、
当該所定のコンテンツを含むグループに属する各コンテンツに対して、特定の操作が行われたか、あるいは行われていないかを示す情報を生成するステップと、
前記生成された情報を、送信するために渡すステップと、
をコンピュータに実行させるためのプログラム。
【発明の詳細な説明】
【０００１】
【発明の属する技術分野】
本発明は、コンテンツを管理等するコンテンツ管理装置等に関する。
【０００２】
【従来の技術】
放送等されたコンテンツを受信し、各種の方法によりそのコンテンツを管理する装置は、従来から知られている（例えば、特許文献１参照）。
【０００３】
【特許文献１】
特開２００３−１８５７１号公報（第３−５頁、第１図等）
【０００４】
【発明が解決しようとする課題】
しかしながら、従来のコンテンツを管理する装置では、格納しているコンテンツについては管理を行うことができるが、複数のコンテンツがグループ化されている場合に、そのグループ化されたコンテンツのうち、視聴や録画などを行っていないコンテンツについては、なんらの管理も行われていない。したがって、グループ化された複数のコンテンツ（例えば、シリーズものの番組など）があった場合に、どのようなコンテンツについて視聴や録画を行っていないかについて確認するには、まずそのグループ化されたコンテンツ群にどのコンテンツが含まれるのかについて新聞のテレビ欄や放送局のホームページの放送予定表などで確認し、それから視聴や録画を行っているかどうかを一つひとつ確認しなければならず、ユーザにとって煩雑な作業が課せられることとなっていた。さらに、グループ化されたコンテンツ群のうち、視聴や録画を行っていないコンテンツを入手したいとユーザが考えた場合にも、そのコンテンツの入手方法などについて、個別的に確認した上で、そのコンテンツを入手する必要があった。
【０００５】
本発明は上記問題点を解決するためになされたものであり、グループ化されたコンテンツの管理を容易にするためのコンテンツ管理装置等を提供することを目的とする。
【０００６】
【課題を解決するための手段】
上記目的を達成するため、本発明によるコンテンツ管理装置は、コンテンツがグループ化されており、コンテンツに対する操作の指示を受け付け、所定のグループに属する各コンテンツに対して特定の操作が行われたか、あるいは行われていないかを示す情報を出力するものである。
【０００７】
本発明によれば、グループ化されたコンテンツに関し、所定のグループに属する各コンテンツに対する操作状況を明確に示すことができ、例えば、所定のグループに関して、どのコンテンツを録画し、どのコンテンツを録画していないのかを容易に確認することができる。
【０００８】
本発明によるコンテンツ管理装置は、コンテンツを識別するためのコンテンツ識別子が付与されたコンテンツがグループ化されており、各コンテンツがいずれのグループに属するかを示す情報である目次情報を格納している目次情報格納部と、所定のコンテンツに対する操作内容を示す情報である操作情報を、当該コンテンツを識別するコンテンツ識別子に対応付けて格納している操作情報格納部と、入力を受け付ける入力受付部と、前記入力がコンテンツに対する特定の操作を指示する入力である場合に、該入力に対応する操作情報を、当該コンテンツを識別するコンテンツ識別子に対応付けて前記操作情報格納部に格納し、前記入力が所定のグループに対応する目次情報の出力を指示する入力である場合に、当該グループに含まれる各コンテンツに対応する操作情報が付加された、当該グループに対応する目次情報を出力する情報管理部とを備えたものである。
【０００９】
本発明によれば、目次情報と操作情報とに基づいて、所定のグループに属する各コンテンツについて、特定の操作を行ったのか、あるいは行っていないのかを明確に示すことができる。
【００１０】
また、本発明によるコンテンツ管理装置では、送信された目次情報を受信する目次情報受信部をさらに備え、前記情報管理部が、前記目次情報受信部により受信された目次情報を前記目次情報格納部に格納するようにしてもよい。
【００１１】
また、本発明によるコンテンツ管理装置では、前記目次情報受信部が、前記コンテンツ管理装置からの要求に応じて送信された目次情報を受信するようにしてもよい。
【００１２】
また、本発明によるコンテンツ管理装置では、目次情報の記録されている記録媒体から前記目次情報を読み出す目次情報読み出し部をさらに備え、前記情報管理部が、前記目次情報読み出し部により読み出された目次情報を前記目次情報格納部に格納するようにしてもよい。
【００１３】
また、本発明によるコンテンツ管理装置では、コンテンツを受信するコンテンツ受信部と、前記コンテンツ受信部により受信されたコンテンツを出力する出力部とをさらに備え、前記入力が所定のコンテンツの出力を指示する入力である場合に、前記出力部が、当該コンテンツ受信部により受信されたコンテンツを出力するようにしてもよい。
【００１４】
また、本発明によるコンテンツ管理装置では、コンテンツを受信するコンテンツ受信部と、前記コンテンツ受信部により受信されたコンテンツを記録する記録部とをさらに備え、前記入力が所定のコンテンツの記録を指示する入力である場合に、前記記録部が、当該コンテンツ受信部により受信されたコンテンツを記録するようにしてもよい。
【００１５】
また、本発明によるコンテンツ管理装置では、記録媒体に記録されているコンテンツを再生するコンテンツ再生部と、前記コンテンツ再生部により再生されたコンテンツを出力する出力部とをさらに備え、前記入力が所定のコンテンツの出力を指示する入力である場合に、前記コンテンツ再生部が、当該コンテンツを再生し、前記出力部が、当該コンテンツ再生部により再生されたコンテンツを出力するようにしてもよい。
【００１６】
また、本発明によるコンテンツ管理装置では、記録媒体に記録されているコンテンツを読み出すコンテンツ読み出し部と、前記コンテンツ読み出し部により読み出されたコンテンツを記録する記録部とをさらに備え、前記入力が所定のコンテンツの記録を指示する入力である場合に、前記コンテンツ読み出し部が、当該コンテンツを読み出し、前記記録部が、当該コンテンツ読み出し部により読み出されたコンテンツを記録するようにしてもよい。
【００１７】
また、本発明によるコンテンツ管理装置では、前記特定の操作が、コンテンツを記録する操作であってもよい。
【００１８】
また、本発明によるコンテンツ管理装置では、前記特定の操作が、コンテンツを出力する操作であってもよい。
【００１９】
また、本発明によるコンテンツ管理装置では、複数のコンテンツを格納しているコンテンツ格納装置から所定のコンテンツを取得するコンテンツ取得部をさらに備え、前記入力受付部が、前記情報管理部の出力した目次情報のグループに含まれるコンテンツに関し、当該コンテンツを取得する旨の入力を受け付けた場合に、前記コンテンツ取得部が、当該入力により示されたコンテンツを前記コンテンツ格納装置から取得するようにしてもよい。
【００２０】
本発明によれば、所望のコンテンツを容易に取得することができ、ユーザの利便性を向上させることができる。例えば、所定のグループに属する一つのコンテンツについてのみ録画を失敗したような場合に、そのコンテンツを容易に取得でき、ユーザの満足度を高めることができる。
【００２１】
また、本発明によるコンテンツ管理装置では、前記コンテンツの取得に関する情報であるコンテンツ取得情報を蓄積している取得情報蓄積部をさらに備え、前記情報管理部が、前記コンテンツ取得部によりコンテンツが取得された際に、コンテンツ取得情報を前記取得情報蓄積部に蓄積するようにしてもよい。
【００２２】
本発明によれば、その蓄積されたコンテンツ取得情報を課金や所定の調査などに用いることができる。
【００２３】
本発明によるコンテンツ格納装置は、コンテンツを格納しているコンテンツ格納装置であって、前記コンテンツ管理装置からの指示により、コンテンツを当該コンテンツ管理装置に送信し、コンテンツの送信に関する情報であるコンテンツ送信情報を蓄積するものである。
【００２４】
本発明によれば、その蓄積されたコンテンツ送信情報を用いて、コンテンツを受信したユーザに対する課金や、あるいはユーザの嗜好調査などを行うことができる。
【００２５】
また、本発明によるコンテンツ管理装置では、前記目次情報の受信に関する情報である受信情報を蓄積している受信情報蓄積部をさらに備え、前記情報管理部が、前記目次情報受信部により目次情報が受信された際に、受信情報を前記受信情報蓄積部に蓄積するようにしてもよい。
【００２６】
本発明によれば、その蓄積された受信情報を課金や所定の調査などに用いることができる。
【００２７】
本発明による目次情報格納装置は、目次情報を格納している目次情報格納装置であって、前記コンテンツ管理装置からの指示により、目次情報を当該コンテンツ管理装置に送信し、目次情報の送信に関する情報である送信情報を蓄積するものである。
【００２８】
本発明によれば、その蓄積された送信情報を用いて、目次情報を受信したユーザに対する課金や、あるいはユーザの嗜好調査などを行うことができる。
【００２９】
本発明によるコンテンツ管理サーバは、コンテンツがグループ化されており、所定のコンテンツに対する操作内容を示す情報を受信し、当該所定のコンテンツを含むグループに属する各コンテンツに対して、特定の操作が行われたか、あるいは行われなかったかを示す情報を送信するものである。
【００３０】
本発明によれば、所定のグループに属する各コンテンツに対してユーザが特定の操作を行ったのかどうかを明確に示すことができ、ユーザの利便性を向上させることができる。
【００３１】
また、本発明によるコンテンツ管理サーバは、コンテンツを識別するためのコンテンツ識別子が付与されたコンテンツがグループ化されており、各コンテンツがいずれのグループに属するかを示す情報である目次情報を格納している目次情報格納部と、所定のコンテンツに対する操作内容を示す情報である操作情報を、当該コンテンツを識別するためのコンテンツ識別子と共に受信する受信部と、目次情報を前記目次情報格納部から読み出し、該目次情報と前記操作情報とに基づいて、前記受信部により受信されたコンテンツ識別子に対応するコンテンツを含むグループに属する各コンテンツに対して、特定の操作が行われたか、あるいは行われなかったかを示す情報を生成する情報処理部と、前記情報処理部により生成された情報を送信する送信部とを備えたものである。
【００３２】
本発明によれば、送信されてきた操作情報と、格納している目次情報とに基づいて、所定のグループに属する各コンテンツに対してユーザが特定の操作を行ったのかどうかを明確に示すことができ、ユーザの利便性を向上させることができる。
【００３３】
【発明の実施の形態】
（実施の形態１）
図１は、本発明の実施の形態１によるコンテンツ管理装置の構成を示すブロック図である。
【００３４】
図１において、本実施の形態１によるコンテンツ管理装置１０は、受信部１１と、情報管理部１２と、目次情報格納部１３と、操作情報格納部１４と、記録再生部１５と、出力部１６と、取得部１７と、入力受付部１８とを備える。
【００３５】
受信部１１は、入力受付部１８からの指示に基づいて、各コンテンツを識別するためのコンテンツ識別子が付与されているコンテンツを受信し、記録再生部１５及び／または出力部１６に渡す。ここで、このコンテンツは、放送されたものでもよく、あるいは通信回線等を介して送信されたものでもよい。また、コンテンツ識別子は、専用の番号（例えば、コンテンツの録画予約で用いる番号など）でもよく、あるいは各コンテンツを識別することができるのであれば、コンテンツの名称などでもよい。また、受信部１１は、目次情報を受信し、その目次情報を情報管理部１２に渡す。ここで、目次情報とは、グループ化されているコンテンツに関し、各コンテンツがどのグループに属するかを示す情報のことである。目次情報のデータ構造等は問わない。目次情報は、複数のコンテンツが何らかの関連があることを示す情報であれば何でも良い。このコンテンツのグループとは、所定の関連を有する複数のコンテンツの集合（コンテンツ群）のことである。したがって、目次情報により、各コンテンツとグループとの関係が示される。
【００３６】
情報管理部１２は、受信部１１から目次情報を受け取ると、その目次情報を目次情報格納部１３に格納する。また、入力受付部１８からの指示に基づいて、所定のコンテンツのグループに関する目次情報と、そのグループに含まれる各コンテンツに対応する操作情報とをそれぞれ目次情報格納部１３、及び操作情報格納部１４から取り出す。そして、それらの目次情報と操作情報とに基づいて、そのグループに属する各コンテンツに関してどのような操作が行われたのか（あるいは、行われなかったのか）を示す画像データを作成し、出力部１６に渡す。ここで、操作情報とは、所定のコンテンツに対する操作内容を示す情報である。さらに、情報管理部１２は、入力受付部１８から、所定のコンテンツを取得する旨の指示を受け取った場合には、取得部１７を制御して、その所定のコンテンツを取得させる。
【００３７】
目次情報格納部１３は、目次情報を格納している。図２は、目次情報格納部１３が格納している目次情報の一例を示す図である。図２において、複数のコンテンツがグループ化されている（例えば、「動物シリーズ」や「旅行シリーズ」など）。そして、そのグループに含まれる各コンテンツに対応付けられたコンテンツ識別子が格納されている。
【００３８】
操作情報格納部１４は、コンテンツ識別子に対応付けて操作情報を格納している。図３は、操作情報格納部１４が格納している操作情報の一例を示す図である。図３において、操作情報は、コンテンツ識別子に対応付けて格納されており、その内容は、そのコンテンツを出力したことを示す「視聴」や、記録したことを示す「録画」である。なお、操作情報としては、これ以外にも、所定のコンテンツに対して録画予約を行った旨などもある。また、例えば、ユーザが２チャンネルの番組を継続的に視聴している場合には、コンテンツの内容が変わった時点において（例えば、午後８時から所定のドラマが始まった場合など）、そのコンテンツ（例えば、そのドラマ）に関する視聴の操作がなされたと判断され、そのコンテンツに関する「視聴」の操作情報が格納されることとなる。
【００３９】
記録再生部１５は、受信部１１により受信されたコンテンツや、取得部１７により取得されたコンテンツを記録し、また所定の媒体に記録されているコンテンツを再生して出力部１６に出力する。ここで再生とは、媒体からコンテンツのデータを読み出し、必要であればそのデータに対して復号処理等を行うことをいう。この記録再生部１５がコンテンツを記録し、また再生する媒体は、記録再生部１５に対して固定されているものでもよく、あるいは、着脱可能なものでもよい。固定されているものとしては、例えば、ハードディスクなどの磁気ディスクなどがあり、着脱可能なものとしては、例えば、カセット化されている磁気テープや、書き込み可能な光ディスクなどがある。
【００４０】
出力部１６は、受信部１１や、記録再生部１５、取得部１７、情報管理部１２から受け取ったコンテンツの画像データや、目次情報に関する画像データなどをモニタ２０に出力するインターフェースである。ここで、モニタ２０は、例えば、ＣＲＴや液晶モニタなどでもよく、あるいはテレビ受像機のモニタでもよい。
【００４１】
取得部１７は、情報管理部１２からの指示に基づいて、所定のコンテンツを、コンテンツを格納しているコンテンツ格納装置２２から通信回線２１を介して取得する。取得したコンテンツは、情報管理部１２からの指示に基づいて、記録再生部１５及び／または出力部１６に渡す。
【００４２】
入力受付部１８は、ユーザからの入力を受け付け、受け付けた入力を受信部１１や情報管理部１２、あるいは記録再生部１５などに渡す。ここで、この入力受付部１８は、例えば、リモートコントロール端末（以下、「リモコン」と略す）からの信号を受け付ける受光部と、その受光した信号を解析するドライバとから構成される。
【００４３】
次に、本実施の形態１によるコンテンツ管理装置１０の動作について説明する。
【００４４】
まず、目次情報の格納について説明する。
【００４５】
受信部１１は、目次情報を受信すると、その受信した目次情報を情報管理部１２に渡す。情報管理部１２は、受信部１１から受け取った目次情報を、目次情報格納部１３に格納する。ここで、受信部１１による目次情報の受信の形態としては、例えば、コンテンツのヘッダに含まれる目次情報やコンテンツに重畳されている目次情報を受信する場合や、データなどが配信・放送される専用のチャンネルを介して受信する場合、あるいは目次情報の配信・放送される時間帯が設定されており（例えば、毎日午前２時など）、そのときに目次情報を受信する場合などがある。あるいは、図示しない通信手段により、目次情報を格納している目次情報格納装置に所定の目次情報を送信する要求を出し、それに応じて送信された目次情報を受信してもよい。
【００４６】
次に、入力受付部１８が所定の入力を受け付けた後の、操作情報の格納などの動作について説明する。
【００４７】
図４は、本実施の形態１によるコンテンツ管理装置１０の動作を示すフローチャートである。
【００４８】
図４のステップＳ１０１において、入力受付部１８は、ユーザからの入力があるかどうかを判断する。そして、入力があった場合には、入力受付部１８は、その入力内容（入力自体でもよく、あるいは、どのような入力かを示す情報でもよい）を情報管理部１２と、その入力内容に対応する構成要素とに渡し、ステップＳ１０２に進む。例えば、入力内容が所定のチャンネルのコンテンツを出力する旨であれば、入力受付部１８は、その内容を情報管理部１２と、その入力内容に対応する構成要素である受信部１１とに渡す。入力がない場合には、入力があるまでこのステップＳ１０１の処理を繰り返す。なお、フローに明記していないが、入力受付部１８から入力内容を受け取った構成要素は、その入力内容に応じた処理を行う。例えば、所定のチャンネルのコンテンツを出力する旨を受け取った受信部１１は、そのチャンネルのコンテンツを受信し、出力部１６に渡す。
【００４９】
ステップＳ１０２において、情報管理部１２は、入力受付部１８から受け取った入力内容が、例えば、コンテンツの視聴（出力）や録画（記録）などの、コンテンツに対する所定の操作であるかどうかを判断する。そして、入力受付部１８から受け取った入力内容が、その所定の操作である場合には、ステップＳ１０３に進み、そうでない場合には、ステップＳ１０４に進む。
【００５０】
ステップＳ１０３において、情報管理部１２は、入力受付部１８から受け取った操作内容を示す操作情報を、その操作対象であるコンテンツのコンテンツ識別子に対応付けて操作情報格納部１４に格納する。具体的には、コンテンツ識別子は、例えば操作内容が受信されたコンテンツを視聴（出力）するものである場合には、受信されたコンテンツに付与されているコンテンツ識別子（例えば、コンテンツのヘッダに含まれている）を受信部１１から受け取ることにより入手する。一方、例えば操作内容がコンテンツの再生と出力に関するものである場合には、再生されたコンテンツに付与されているコンテンツ識別子を記録再生部１５から受け取ることにより入手する。そして、その入手したコンテンツ識別子に対応するレコードが、すでに操作情報格納部１４に存在する場合には、そのレコードの操作情報の欄に受け取った操作内容を示す操作情報を格納し、すでにその操作情報も格納されている場合には、操作情報格納部１４に対する格納は行わない。一方、入手したコンテンツ識別子に対応するレコードが存在しない場合には、そのコンテンツ識別子の新規レコードを作成し、操作情報を格納する。
【００５１】
ステップＳ１０４において、情報管理部１２は、入力受付部１８から受け取った入力内容が、目次情報を出力する旨かどうかを判断する。そして、その入力内容が、目次情報を出力する旨である場合には、ステップＳ１０５に進む。そうでない場合（例えば、入力受付部１８への入力が、ユーザがモニタ２０で視聴しているコンテンツの音声を調整する場合など）には、ステップＳ１０１からの処理を繰り返す。
【００５２】
ステップＳ１０５において、情報管理部１２は、入力受付部１８への入力によって指示されているコンテンツのグループに関する目次情報と、その目次情報に含まれる各コンテンツの操作情報とをそれぞれ目次情報格納部１３、及び操作情報格納部１４から読み出し、それらの情報に基づいて、そのグループに属する各コンテンツの操作状況が分かる画像データを作成して出力部１６に出力する。
【００５３】
次に、コンテンツ管理装置１０の動作について、具体例を用いて説明する。以下の具体例においては、放送された目次情報、コンテンツを受信部１１が受信するものとする。
【００５４】
図５は、コンテンツ管理装置１０、及びモニタ２０を示す模式図である。図５において、アンテナ３１で受けられた電波は、受信部１１に入力される。また、ユーザの使用するリモコン４０からの電波は入力受付部１８の受光部３２で受光される。図６は、リモコン４０を示す模式図である。図６において、リモコン４０は、電源ボタンなどの他に、目次ボタン４１、取得ボタン４２、十字キー４３、決定ボタン４４を備える。
【００５５】
２００３年４月１日の午後８時から、コンテンツ識別子「００１００１」に対応するコンテンツ「ライオン」が２チャンネルで放送される場合に、当日の午後８時にユーザがリモコン４０のチャンネル「２」のボタンを押したとする。すると、リモコン４０から２チャンネルのコンテンツを受信して出力する旨の指示がコンテンツ管理装置１０に送られる。そして、入力受付部１８は、入力があったと判断し（ステップＳ１０１）、その入力された指示を受信部１１と情報管理部１２とに渡す。受信部１１は、その指示を受け取ると、アンテナ３１からの電波から、２チャンネルに対応する周波数の電波を復調し、そのコンテンツのヘッダに含まれている目次情報とコンテンツ識別子とを情報管理部１２に渡し、コンテンツを出力部１６に渡す。そして、出力部１６が受信部１１からのコンテンツをモニタ２０に出力することにより、ユーザは、「動物シリーズ」の「ライオン」を視聴することができる。
【００５６】
一方、情報管理部１２は、受信部１１から受け取った目次情報を目次情報格納部１３に格納する。このようにして、例えば、図２で示される目次情報の「動物シリーズ」に関するレコードが目次情報格納部１３に格納される。また、情報管理部１２は、入力受付部１８から操作情報を受け取ったと判断し（ステップＳ１０２）、その操作情報を受信部１１から受け取ったコンテンツ識別子に対応付けて操作情報格納部１４に格納する（ステップＳ１０３）。その操作情報は、「視聴」となる。このようにして、例えば、図３で示される操作情報のコンテンツ識別子「００１００１」を有するレコードが操作情報格納部１４に格納される。
【００５７】
次に、操作情報の付加された目次情報の出力について説明する。まず、上記の説明と同様にして目次情報と操作情報とが目次情報格納部１３、操作情報格納部１４に、それぞれ図２、図３で示されるように格納されているとする。そして、ユーザがリモコン４０の目次ボタン４１を押したとする。すると、目次情報を出力する旨の信号が受光部３２に入力され、入力受付部１８は、入力があったと判断して（ステップＳ１０１）、その内容を情報管理部１２に渡す。情報管理部１２は、入力受付部１８から受け取った内容が目次情報の出力を指示する旨であると判断し（ステップＳ１０２、Ｓ１０４）、目次情報格納部１３からグループ名を取得し、そのグループ名の一覧の画像データを出力部１６に渡す。出力部１６は、その画像データをモニタ２０に出力する。このようにして、図７で示されるように、モニタ２０にグループ名の一覧が表示される。
【００５８】
ユーザは、リモコン４０の十字キー４３を操作することにより、所望のグループ名を選択する。図７では、「動物シリーズ」が選択されている。そして、ユーザがリモコン４０の決定ボタン４４を押すと、その「動物シリーズ」が選択され、その旨が入力受付部１８を介して情報管理部１２に伝えられる。すると、情報管理部１２は、目次情報格納部１３で格納されている目次情報を参照して、「動物シリーズ」に含まれているコンテンツのコンテンツ識別子に対応する操作情報を操作情報格納部１４から取得し、その目次情報と操作情報とに基づいて、「動物シリーズ」に属する各コンテンツに対して、どのような操作が行われたのかをユーザが容易に確認できる形式の画像データを生成して出力部１６に渡す。そして、その画像データが出力部１６から出力され、モニタ２０に表示される（ステップＳ１０５）。図８は、その「動物シリーズ」に関する、操作情報が付加された目次情報の表示の一例である。このように、シリーズものの番組（グループ化されているコンテンツ）に関して、どのコンテンツについて視聴や録画を行ったのか、あるいは行っていないのかがユーザにとって一目瞭然となる。
【００５９】
ユーザは、図８で示される表示において、リモコン４０の十字キー４３を操作して、取得したいコンテンツを選択する。図８では、視聴も録画も行われていないコンテンツ「キリン」が選択されている。選択後に、リモコン４０の取得ボタン４２を押すと、選択したコンテンツを取得する旨の指示が、入力受付部１８を介して情報管理部１２に入力される。すると、情報管理部１２は、取得したコンテンツを視聴するのか、録画するのかをユーザに尋ねるための画像データを出力部１６に渡す。そして、その画像データが出力部１６から出力されることにより、モニタ２０は、図９で示される表示を行う。
【００６０】
ユーザは、図９で示される表示を見て、リモコン４０の十字キー４３を操作することにより、コンテンツに対する所望の操作を選択し、決定ボタン４４を押す。ユーザがすぐにそのコンテンツ「キリン」を視聴したい場合には「視聴」を選択し、今はダウンロードするだけで、後日視聴する場合には「録画」を選択し、視聴と録画と同時に行いたい場合には「視聴＆録画」を選択する。ユーザが図９で示されているように、「視聴」を選択し、決定ボタン４４を押したとすると、その旨が入力受付部１８を介して情報管理部１２に入力され、情報管理部１２は、選択されたコンテンツのコンテンツ識別子と、そのコンテンツを取得して出力する旨の指示とを取得部１７に渡す。すると、取得部１７は、そのコンテンツ識別子に対応するコンテンツを送信する旨の要求を、通信回線２１を介してコンテンツ格納装置２２に送信する。コンテンツ格納装置２２は、コンテンツ識別子に対応付けてコンテンツを格納しており、取得部１７からの要求に応じて、そのコンテンツ識別子に対応するコンテンツを、通信回線を介して取得部１７に送信する。
【００６１】
取得部１７は、コンテンツ格納装置２２から送信されたコンテンツを受け取ると、そのコンテンツを出力部１６に渡す。そして、そのコンテンツが出力部１６から出力され、モニタ２０に表示されることにより、ユーザは、所望のコンテンツ「キリン」を視聴することができる。一方、ユーザが「録画」を選択した場合には、同様にして取得部１７により所望のコンテンツ「キリン」が取得され、記録再生部１５により記録される。
【００６２】
なお、情報管理部１２は、入力受付部１８を介して「視聴」が選択された旨が入力されたときに、そのコンテンツ「キリン」に対応する操作情報に、「視聴」を追加する。具体的には、図３で示される操作情報格納部１４には、コンテンツ「キリン」に対応するコンテンツ識別子「００１００２」のレコードが格納されていないため、情報管理部１２は、コンテンツ識別子「００１００２」のレコードを新規に作成し、それに対応する操作情報として、「視聴」を格納する。
【００６３】
以上のように、本実施の形態１によるコンテンツ管理装置１０によれば、目次情報と操作情報とを格納しておき、所定のグループに対応する目次情報の出力が指示された場合に、情報管理部１２により、当該グループに対応する操作情報が付加された目次情報を出力することで、グループ化されたコンテンツに関して、所定のグループに属する各コンテンツに対してユーザがどのような操作を行ったのか、あるいは行っていないのかを明確に示すことができる。
【００６４】
また、目次情報に含まれるコンテンツを、取得部１７により容易に取得することができるようにしたことで、所望のコンテンツの取得に関して、ユーザの利便性を向上させることができる。
【００６５】
なお、本実施の形態では、コンテンツにコンテンツ識別子が付与されている状態として、コンテンツにコンテンツ識別子が実際に付加されている場合、例えば、コンテンツのヘッダにコンテンツ識別子が含まれている場合について説明したが、少なくとも、所定のコンテンツとコンテンツ識別子とが一対一の関係で対応していれば、コンテンツにコンテンツ識別子が付加されていなくてもよい。例えば、コンテンツの放送時間帯とチャンネルなどとコンテンツ識別子との関係をテーブルとして保持しておけば、所定のコンテンツに関して、その放送時間、チャンネルに基づいて、そのコンテンツとコンテンツ識別子とを一対一に対応付けることができるので、このような場合であっても、コンテンツにコンテンツ識別子が付与されていることとなりうる。また、コンテンツの放送時間とチャンネルなどをコンテンツ識別子として用いてもよい。
【００６６】
また、本実施の形態では、受信部１１により、コンテンツと目次情報とを受信することとしたが、コンテンツを受信するコンテンツ受信部と、目次情報を受信する目次情報受信部とが分かれていてもよい。この場合、コンテンツは放送されたものを受信し、目次情報は通信回線を介して送信されたものを受信してもよい。
【００６７】
また、本実施の形態では、入力受付部１８からの指示があった場合に、情報管理部１２が目次情報と操作情報とに基づいて、所定のグループに属する各コンテンツの操作情報を表示するための画像データを作成して出力すると説明したが、情報管理部１２は、所定のグループに属する各コンテンツに対して特定の操作が行われたか、あるいは行われていないかを示す情報を出力するだけで、その情報を受け取った側において画像を形成し、表示を行うようにしてもよい。さらに、情報管理部１２の出力する画像データは、動画像データでもよく、あるいは静止画像データでもよい。
【００６８】
また、本実施の形態では、記録と再生とを行う記録再生部１５を備えた構成としたが、記録のみを行う記録部、再生のみを行う再生部を別々に、あるいはどちらか一方を備えるようにしてもよい。
【００６９】
また、本実施の形態では、目次情報は目次情報格納部１３に格納され、操作情報は操作情報格納部１４に格納されると説明したが、操作情報が目次情報におけるコンテンツ識別子に対応付けられて格納されるようにしてもよい。すなわち、目次情報格納部１３と操作情報格納部１４とが同一の記憶手段により構成されるようにしてもよい。なお、この場合には、その記憶手段で記憶されている情報を読み出して出力することにより、所定のグループに属する各コンテンツに対して特定の操作が行われたか、あるいは行われていないかを示す情報が出力されることとなる。
【００７０】
また、本実施の形態では、ユーザが所望のコンテンツを、通信回線を介して取得する場合について説明したが、例えば、目次情報に放送時間（または再放送時間）などの録画予約（または視聴予約）に用いる情報を含めておき、それを用いて録画予約などを行うことにより、所望のコンテンツを取得するようにしてもよい。
【００７１】
また、上述のように、受信部１１は、放送を受信するものでも、所定の管理装置から送信されたコンテンツや目次情報を受信するものでもよいが、送信されたものを受信するときには、一方的に配信されたものを受動的に受け取るものであっても、あるいはコンテンツ管理装置１０からの要求に基づいて送信されたコンテンツや目次情報を受け取るものであってもよい。
【００７２】
ここで、コンテンツ管理装置１０からの要求により、目次情報を取得する場合の一具体例について説明する。まず、記録再生部１５は、入力受付部１８で受け付けられた記録を行う旨の指示により、受信部１１により受信された所定のコンテンツを記録する。そのときに、情報管理部１２は、そのコンテンツ識別子と、放送チャンネルを示す操作情報を操作情報格納部１４に格納する。例えば、コンテンツ識別子「放送日時：２００３年４月１日午後８時、チャンネル：２」に対応付けられた「録画」という操作情報が格納される。その後、入力受付部１８が目次情報の出力を指示する入力を受け付けた場合に、情報管理部１２は、そのコンテンツ識別子を図示しない通信手段を介して、目次情報を格納している目次情報格納装置に送信する。すると、その目次情報格納装置は、送信されたコンテンツ識別子に対応する目次情報をコンテンツ管理装置１０に送信する。そして、その目次情報が受信され、目次情報格納部１３に格納されて、操作情報格納部１４で格納されている操作情報が付加されて出力される。ここで、上記以外の操作情報がある場合には、その操作情報も付加される。なお、この場合の目次情報格納部１３は、その目次情報の出力後も目次情報を格納しているものでもよく、あるいは、一時的に目次情報を格納する、例えばバッファメモリのようなものでもよい。
【００７３】
（実施の形態２）
図１０は、本発明の実施の形態２によるコンテンツ管理装置の構成を示すブロック図である。
【００７４】
図１０において、本実施の形態２によるコンテンツ管理装置５０は、読み出し部５１と、情報管理部１２と、目次情報格納部１３と、操作情報格納部１４と、記録再生部１５と、出力部１６と、取得部１７と、入力受付部１８とを備える。なお、図１と同じ符号は、同一または相当する構成要素を示すものである。したがって、受信部１１が読み出し部５１になった以外は、実施の形態１における構成、及び動作と同様であり、それらの説明を省略する。
【００７５】
読み出し部５１は、ディスク状媒体５２から目次情報や、コンテンツ識別子の付与されたコンテンツを読み出して、目次情報は情報管理部１２に渡し、コンテンツは記録再生部１５に渡す。
【００７６】
次に、コンテンツ管理装置５０の動作について、具体例を用いて説明する。以下の具体例においては、所定のディスク状媒体５２から目次情報を読み出し、また他のディスク状媒体５２からコンテンツを読み出して出力及び／または記録するものとする。
【００７７】
まず、目次情報の格納について説明する。ユーザは、目次情報の記録されているディスク状媒体５２をコンテンツ管理装置５０の読み出し部５１に装填する。そしてリモコンを操作することにより、目次情報をディスク状媒体５２から読み出す旨の指示を、入力受付部１８を介して情報管理部１２に入力する。すると、情報管理部１２は、入力受付部１８からの指示に従って、読み出し部５１を制御して、装填されたディスク状媒体５２から目次情報を読み出させ、その読み出された目次情報を目次情報格納部１３に格納する。
【００７８】
次に、ディスク状媒体５２からコンテンツを読み出して出力する場合について説明する。ユーザは、コンテンツ識別子の付与されたコンテンツの記録されているディスク状媒体５２をコンテンツ管理装置５０の読み出し部５１に装填する。そしてリモコンを操作することにより、所定のコンテンツをディスク状媒体５２から読み出す旨の指示を、入力受付部１８を介して読み出し部５１と情報管理部１２とに入力する。すると読み出し部５１は、指示されたコンテンツをディスク状媒体５２から読み出して記録再生部１５に渡し、そのコンテンツに付与されているコンテンツ識別子を情報管理部１２に渡す。そして、記録再生部１５は、必要であれば復号処理等を行った後に、そのコンテンツを出力部１６に渡し、出力部１６が、そのコンテンツをモニタ２０に出力する。このようにして、ユーザは、所望のコンテンツを視聴することができる。一方、情報管理部１２は、読み出し部５１から受け取ったユーザの視聴するコンテンツに付与されているコンテンツ識別子が操作情報格納部１４にすでに格納されているかどうかを判断し、格納されている場合には、そのコンテンツ識別子に対応する操作情報として、「視聴」を追加する。なお、すでに操作情報として「視聴」が格納されている場合には、情報管理部１２は何も行わなくてよい。そのコンテンツ識別子が格納されていない場合には、それに対応するレコードを新規に作成し、そのレコードの操作情報として、「視聴」を格納する。
【００７９】
上記説明以外の動作、例えば、目次情報の出力や、所望のコンテンツの取得などについては、実施の形態１と同様であり、その説明を省略する。
【００８０】
以上のように、本実施の形態２によるコンテンツ管理装置５０によれば、コンテンツと目次情報とをディスク状媒体５２から読み出す場合においても、実施の形態１の場合と同様に、グループ化されたコンテンツに関して、そのグループに属する各コンテンツに対してユーザがどのような操作を行ったのか、あるいは行っていないのかを明確に示すことができる。
【００８１】
なお、本実施の形態では、読み出し部５１がコンテンツや目次情報を読み出す記録媒体がディスク状媒体５２である場合について説明したが、この記録媒体はディスク状のものに限定されるものではなく、例えば、テープ状の媒体や、あるいは半導体メモリなどでもよい。また、ディスク状媒体５２は、光ディスクや光磁気ディスクでもよく、あるいは磁気ディスクでもよい。
【００８２】
また、本実施の形態では、読み出し部５１により、コンテンツと目次情報とを読み出すこととしたが、コンテンツを読み出す読み出し部と、目次情報を読み出す読み出し部とが分かれていてもよい。
【００８３】
（実施の形態３）
図１１は、本発明の実施の形態３によるコンテンツ管理装置の構成を示すブロック図である。
【００８４】
図１１において、本実施の形態３によるコンテンツ管理装置６０は、受信部１１と、情報管理部６２と、目次情報格納部１３と、操作情報格納部１４と、記録再生部１５と、出力部１６と、取得部１７と、入力受付部１８と、取得情報・受信情報蓄積部６１とを備える。なお、図１と同じ符号は、同一または相当する構成要素を示すものである。したがって、情報管理部１２に代えて情報管理部６２を備え、取得情報・受信情報蓄積部６１を新たに備えた以外は、実施の形態１における構成、及び動作と同様であり、それらの説明を省略する。
【００８５】
取得情報・受信情報蓄積部６１は、取得情報、及び受信情報を蓄積している。ここで、取得情報とは、取得部１７によるコンテンツ格納装置２２からのコンテンツの取得に関する情報である。受信情報とは、受信部１１による目次情報の受信に関する情報である。これらの取得情報、及び受信情報は、情報管理部１２により取得情報・受信情報蓄積部６１に蓄積される。
【００８６】
情報管理部６２は、実施の形態１による情報管理部１２と同様の機能に加え、取得情報と受信情報との取得情報・受信情報蓄積部６１への蓄積を行う。
【００８７】
図１２は、取得情報・受信情報蓄積部６１で蓄積されている取得情報（図１２（ａ））、及び受信情報（図１２（ｂ））の一例を示す図である。
【００８８】
情報管理部６２は、受信部１１から目次情報を受け取ると、それを目次情報格納部１３に格納すると共に、取得情報・受信情報蓄積部６１に受信情報を蓄積する。この受信情報とは、具体的には、受け取った目次情報のグループ名であり、例えば、受信部１１から図２で示される「動物シリーズ」と「旅行シリーズ」の目次情報を受け取った場合には、図１２（ｂ）で示されるように、それらのグループ名が蓄積される。
【００８９】
また、情報管理部６２は、取得部１７が所定のコンテンツをコンテンツ格納装置２２から取得した場合に、取得情報を取得情報・受信情報蓄積部６１に蓄積する。この取得情報とは、具体的には、取得部１７により取得されたコンテンツに付与されているコンテンツ識別子であり、例えば、取得部１７によりコンテンツ識別子「００１００２」、「００２００３」に対応するコンテンツが取得された場合には、図１２（ａ）で示されるように、それらのコンテンツ識別子が蓄積される。
【００９０】
なお、この取得情報・受信情報蓄積部６１に蓄積された取得情報と受信情報とは、コンテンツ格納装置２２の管理者、あるいは目次情報の送信者からの要求があった場合には、情報管理部６２が、それらの情報を図示しない通信手段を介して、コンテンツ格納装置２２の管理者等に送信する。そして、それらの情報は、コンテンツの取得、あるいは目次情報の受信に関する課金のために利用される。
【００９１】
以上のように、本実施の形態３によるコンテンツ管理装置６０によれば、取得情報と受信情報とを蓄積している取得情報・受信情報蓄積部６１を備えたことにより、蓄積されている取得情報、受信情報を用いることで、目次情報の受信、あるいはコンテンツ格納装置２２からのコンテンツの取得に関して適切な課金を行うことができる。
【００９２】
なお、取得情報・受信情報蓄積部６１で蓄積されている取得情報等は、課金以外の用途に用いてもよい。例えば、ユーザの嗜好を調べるため、すなわちユーザがどのようなコンテンツを取得しているのかを調査する目的等に用いてもよい。
【００９３】
また、本実施の形態では、コンテンツ管理装置６０が取得情報と受信情報とを蓄積している場合について説明したが、これらの情報は、コンテンツを送信するコンテンツ格納装置２２、及び目次情報を格納しており、コンテンツ管理装置からの指示により、その格納している目次情報をコンテンツ管理装置に送信する目次情報格納装置において蓄積していてもよい。すなわち、コンテンツ格納装置２２は、コンテンツを送信する際に、コンテンツの送信に関する情報であるコンテンツ送信情報を蓄積するようにしてもよい。このコンテンツ送信情報には、そのコンテンツの送り先であるコンテンツ管理装置を識別する情報が含まれている。また、目次情報格納装置は、目次情報をコンテンツ管理装置に送信する際に、目次情報の送信に関する情報である送信情報を蓄積するようにしてもよい。この送信情報にも、そのコンテンツの送り先であるコンテンツ管理装置を識別する情報が含まれている。
【００９４】
（実施の形態４）
図１３は、本発明の実施の形態４によるコンテンツ管理装置、及びコンテンツ管理サーバの構成を示すブロック図である。
【００９５】
図１３において、コンテンツ管理装置７０は、受信部７１と、情報管理部７２と、通信部７３と、操作情報管理部１４と、記録再生部１５と、出力部１６と、入力受付部１８とを備える。また、コンテンツ管理サーバ８０は、通信部８１と、情報処理部８２と、目次情報格納部８３とを備える。  受信部７１は、コンテンツを受信し、記録再生部１５及び／または出力部１６に渡す。ここで、受信部７１は、目次情報を受信しない以外は、実施の形態１による受信部１１と同様の機能を有するものである。情報管理部７２は、所定のグループに属する各コンテンツについて、特定の操作が行われたかどうかを示す情報を、通信部７３を介してコンテンツ管理サーバ８０から受け取る以外は、実施の形態１による情報管理部１２と同様の機能を有するものである。
【００９６】
通信部７３、及び通信部８１は、それぞれ情報管理部７２、情報処理部８２からの指示により、通信回線７４を介して、コンテンツ管理装置７０とコンテンツ管理サーバ８０との間の通信を行う。
【００９７】
情報処理部８２は、コンテンツ管理装置７０から所定の操作情報と、コンテンツ識別子とが送信された場合に、目次情報を格納している目次情報格納部８３から目次情報を読み出し、その目次情報と操作情報とに基づいて、そのコンテンツ識別子の含まれるグループに属する各コンテンツに対して特定の操作が行われたか、あるいは行われなかったかを示す画像データを生成する。
【００９８】
次に、本実施の形態４によるコンテンツ格納装置７０，及びコンテンツ管理サーバ８０の動作について説明する。
【００９９】
操作情報が操作情報格納部１４に格納される動作については、実施の形態１の場合と同様であり、その説明を省略する。
【０１００】
情報管理部７２は、入力受付部１８に目次情報の出力を指示する入力があった場合に、操作情報格納部１４で格納している操作情報と、その操作情報に対応するコンテンツ識別子とを読み出し、通信部７３、及び通信回線７４を介してコンテンツ管理サーバ８０に送信する。ここで、図３で示される操作情報とコンテンツ識別子とが送信されたとする。すると、情報処理部８２は、通信部８１を介してそれらの情報を受け取り、目次情報格納部８３からグループ名を取得し、そのグループ名の一覧の画像データを通信部８１、及び通信回線７４を介してコンテンツ管理装置７０に送信する。情報管理部７２は、通信部７３を介してその画像データを受け取り、出力部１６に渡すことで、モニタ２０に図７で示される表示がなされる。
【０１０１】
その表示により、グループの選択がなされた場合に、情報管理部７２は、その選択結果を入力受付部１８から受け取り、通信部７３，及び通信回線７４を介してコンテンツ管理サーバ８０に送信する。「動物シリーズ」が選択された場合には、情報処理部８２は、その旨を通信部８１から受け取り、目次情報格納部８３で格納されている目次情報と、「動物シリーズ」に含まれているコンテンツ識別子に対応する操作情報とに基づいて、「動物シリーズ」に属する各コンテンツに対して、どのような操作が行われたかをユーザが容易に確認できる形式の画像データを生成して、通信部８１，及び通信回線７４を介してコンテンツ管理装置７０に送信する。情報管理部７２は、通信部７３を介してその画像データを受け取り、出力部１６に渡すことで、モニタ２０に、図８で示される表示がなされる。
【０１０２】
以上のように、本実施の形態４によるコンテンツ管理装置７０、及びコンテンツ管理サーバ８０によれば、コンテンツ管理装置７０が操作情報を格納しておき、その操作情報をコンテンツ識別子と共にコンテンツサーバに送信し、コンテンツ管理サーバ８０が、目次情報と操作情報とに基づいて、所定のグループに属する各コンテンツに対して特定の操作が行われたか、あるいは行われなかったかを示す画像データを送信し、コンテンツ管理装置７０がその画像データを出力することで、グループ化されたコンテンツに関して、そのグループに属する各コンテンツに対してユーザが特定の操作（録画等）を行ったか、あるいは行っていないかを明確に示すことができる。
【０１０３】
なお、本実施の形態において、情報処理部８２は、目次情報と操作情報とに基づいて、所定のグループに属する各コンテンツに対して特定の操作が行われたかどうかを示す画像データを作成すると説明したが、情報処理部８２は、その特定の操作が行われたかどうかを示す情報を生成し、それを受け取った後段の構成要素、あるいはコンテンツ管理装置７０において、画像データが形成されてモニタ２０に出力されるようにしてもよい。
【０１０４】
また、本実施の形態では、コンテンツ管理装置７０が、コンテンツを取得する取得部を備えない構成としたが、実施の形態１と同様に、取得部を備え、その取得部によりコンテンツを取得できるようにしてもよい。
【０１０５】
また、通信部８１は、コンテンツ管理装置７０からの操作情報等を受信する受信部と、情報処理部８２により生成された情報を送信する送信部とに分かれていてもよい。
【０１０６】
なお、上記各実施の形態において、目次情報とコンテンツとが両者共に受信される場合（実施の形態１）、あるいは媒体から読み出される場合（実施の形態２）について説明したが、目次情報とコンテンツとは、それぞれ（１）受信される場合（放送されたものの受信と、通信回線を介して送信されたものの受信の両方を含む）と、（２）媒体から読み出される場合（再生部による再生も含む）とを任意に組み合わせてもよい。例えば、目次情報は媒体から入手し、コンテンツは放送されたものを受信するようにしてもよい。
【０１０７】
また、あるコンテンツが、複数のグループに属するようにしてもよい。例えば、コンテンツ「ライオン」は、グループ「動物シリーズ」に含まれ、さらにグループ「２００３年４月１日の２チャンネルの番組」に含まれるようにしてもよい。
【０１０８】
また、上記各実施の形態では、出力部１６がモニタ２０に画像データなどを出力する場合について説明したが、出力部１６は通信回線を介してそれらを出力してもよく、さらに、操作情報の付加された目次情報の出力に関しては、音声による出力であってもよく、あるいはプリンタなどへの出力であってもよい。
【０１０９】
また、上記各実施の形態では、所定の操作（例えば、録画や視聴など）を行った旨を操作情報として用いる場合について説明したが、操作情報は、所定のコンテンツに対する操作内容を示すものであればよく、例えば、所定の操作を行っていない旨を操作情報として用いてもよく、操作情報の形式は問わない。したがって、例えば、録画を行ったときには、その録画を行ったコンテンツに対応するコンテンツ識別子を図２で示される目次情報のコンテンツ識別子の欄から削除するようにしてもよい。このようにすることで、目次情報のうち、コンテンツ識別子を有しないレコードは、操作情報として「録画」を有することとなる。この場合、目次情報と操作情報とが同一のテーブルで構成されることとなる。すなわち、目次情報格納部と操作情報格納部とが同一の記憶手段で構成されることとなる。
【０１１０】
また、上記各実施の形態では、所定のグループに属する各コンテンツに関し、特定の操作がなされたか、あるいは、なされなかったかを示す図８の表示例の場合について説明したが、他の表示例としては、例えば、図１４で示すように、各コンテンツを所定の画像を用いて表示し、特定の操作（例えば録画など）がなされていないコンテンツについては、その画像を表示しないようにしてもよい。また、その画像として、録画等を行ったコンテンツの代表的なフレームを用いてもよい。
【０１１１】
また、上記各実施の形態において、各構成要素は、ハードウェアにより構成してもよく、あるいは、ソフトウェアにより構成できる部分に関しては、プログラム制御によるソフトウェアにより構成してもよい。
【０１１２】
【発明の効果】
以上の説明から明らかなように、本発明によれば、グループ化されたコンテンツに関して、所定のグループに属する各コンテンツに対してユーザが所定の操作を行ったのか、あるいは行っていないのかを明確に示すことができ、ユーザの利便性を向上させることができる。
【図面の簡単な説明】
【図１】本発明の実施の形態１によるコンテンツ管理装置の構成を示すブロック図
【図２】本発明の実施の形態１による目次情報の一例を示す図
【図３】本発明の実施の形態１による操作情報の一例を示す図
【図４】本発明の実施の形態１によるコンテンツ管理装置の動作を示すフローチャート
【図５】本発明の実施の形態１によるコンテンツ管理装置とモニタとを示す模式図
【図６】本発明の実施の形態１によるリモコンを示す図
【図７】本発明の実施の形態１におけるグループ名の一覧表示の一例を示す図
【図８】本発明の実施の形態１における目次情報と操作情報とに基づいた表示の一例を示す図
【図９】本発明の実施の形態１におけるコンテンツに対する操作選択の表示の一例を示す図
【図１０】本発明の実施の形態２によるコンテンツ管理装置の構成を示すブロック図
【図１１】本発明の実施の形態３によるコンテンツ管理装置の構成を示すブロック図
【図１２】本発明の実施の形態３における取得情報（ａ）と、受信情報（ｂ）の一例を示す図
【図１３】本発明の実施の形態４におけるコンテンツ管理装置とコンテンツ管理サーバとの構成を示すブロック図
【図１４】目次情報と操作情報とに基づいた表示の一例を示す図
【符号の説明】
１０、５０、６０、７０  コンテンツ管理装置
１１、７１  受信部
１２、６２、７２  情報管理部
１３、８３  目次情報格納部
１４  操作情報格納部
１５  記録再生部
１６  出力部
１７  取得部
１８  入力受付部
２０  モニタ
２１、７４  通信回線
２２  コンテンツ格納装置
３１  アンテナ
３２  受光部
４０  リモコン
４１  目次ボタン
４２  取得ボタン
４３  十字キー
４４  決定ボタン
５１  読み出し部
５２  ディスク状媒体
６１  取得情報・受信情報蓄積部
７３、８１  通信部
８０  コンテンツ管理サーバ
８２  情報処理部
【図１】
2004274446.tif 000003
【図２】
2004274446.tif 000004
【図３】
2004274446.tif 000005
【図４】
2004274446.tif 000006
【図５】
2004274446.tif 000007
【図６】
2004274446.tif 000008
【図７】
2004274446.tif 000009
【図８】
2004274446.tif 000010
【図９】
2004274446.tif 000011
【図１０】
2004274446.tif 000012
【図１１】
2004274446.tif 000013
【図１２】
2004274446.tif 000014
【図１３】
2004274446.tif 000015
【図１４】
2004274446.tif 000016